(57)【要約】【課題】  ランプ装置の着脱が容易で、かつ配光不良を抑制可能なリフレクタおよび照明装置を提供する。【解決手段】  本発明の照明装置は、ランプ配置部３の後方側に、接触面３２と、掛止部３５と、内部に回路部６１を収容可能な空間４３を備えるとともに、ランプ配置部３に対して回動可能な機構を備えた回路保持部４と、を設け、掛止部３５に穴部６２１を合致させて、フランジ部６２の前方側の部分としてポッチ６２２を接触面３２に接触させるとともに、回路保持部４の空間４３に回路部６１が収容されるようにランプ装置６を配置したのち、リフレクタ２における光軸を中心とするように回路保持部４を回動させて、フランジ部６２を接触面３２と掛止部３５とで掛止させ、回路部６１を回路保持部４で保持させたことを特徴とする。【選択図】  図６
2011238391.tif 000002
【特許請求の範囲】
【請求項１】
前方側に光を反射させる反射部、前記反射部の後方側に設けられたランプ配置部を含むリフレクタと、
回路部、前記回路部の前方側に設けられ、その少なくとも一部に穴部が形成されているフランジ部、前記フランジ部の前方側に設けられたバーナー部を含み、前記バーナー部の少なくとも一部が前記反射部の内部に位置するように、前記リフレクタに配置されたランプ装置と、を備える照明装置であって、
前記ランプ配置部の後方側には、接触面と、掛止部と、内部に前記回路部を収容可能な空間を備えるとともに、前記ランプ配置部に対して回動可能な機構を備えた回路保持部と、が設けられており、
前記掛止部に前記穴部を合致させて、前記フランジ部の前方側の部分を前記接触面に接触させるとともに、前記回路保持部の前記空間に前記回路部が収容されるように前記ランプ装置を配置させたのち、前記リフレクタにおける光軸を中心とするように前記回路保持部を回動させて、
前記フランジ部を前記接触面と前記掛止部とで掛止させ、前記回路部を前記回路保持部で保持させたことを特徴とする照明装置。
【請求項２】
前記回路保持部には、前記空間方向に突出するように弾性保持部が設けられていることを特徴とする請求項１に記載の照明装置。
【請求項３】
前方側に光を反射させる反射部、前記反射部の後方側に設けられたランプ配置部、を備え、
回路部、前記回路部の前方側に設けられ、その少なくとも一部に穴部が形成されているフランジ部、前記フランジ部の前方側に設けられたバーナー部を含むランプ装置を、前記バーナー部の少なくとも一部が前記反射部の内部に位置するように配置させるリフレクタであって、
前記ランプ配置部の後方側には、前記フランジ部の前方側の部分と接触可能な接触面と、前記穴部に挿通可能であるとともに、前記フランジ部を前記接触面とにより掛止可能な掛止部と、内部に前記回路部を収容可能な空間を備えるとともに、前記リフレクタにおける光軸を中心とするように、前記ランプ配置部に対して回動可能な機構を備えた回路保持部と、が設けられていることを特徴とするリフレクタ。
【発明の詳細な説明】
【技術分野】
【０００１】
本発明は、例えば、自動車用前照灯などの照明装置および照明装置に用いられるリフレクタに関するものである。
【背景技術】
【０００２】
現在、自動車の前照灯に用いられる光源には、高輝度放電ランプ、いわゆるＨＩＤランプが普及している。このランプは、自動車前照灯に着脱可能な構造となっており、例えば、特許文献１のように、自動車前照灯の後方から放電ランプを配置したのち、金属バネなどで固定するような構造が採用されている。
【０００３】
しかし、特許文献１のような構造は、着脱の作業に手間がかかるという問題がある。そこで、特許文献２のように、ランプの着脱を容易にしたリフレクタやランプの発明が提案されている。
【先行技術文献】
【特許文献】
【０００４】
【特許文献１】特開平１０−８３７０３号公報
【特許文献２】国際公開第２００９／１３０６４０号
【特許文献３】特開２００５−７１９９７号公報
【発明の概要】
【発明が解決しようとする課題】
【０００５】
特許文献２のような構造は、コスト面、作業面において優れたものである。しかし、欧米などで採用されている、特許文献３のような、回路と一体的に構成されたランプ（以下、ランプ装置）を装着した場合、使用中に光軸がずれ、配光が不安定となるなどの問題が生じることが判明した。
【０００６】
本発明の目的は、ランプ装置の着脱が容易で、かつ配光不良を抑制可能なリフレクタおよび照明装置を提供することにある。
【課題を解決するための手段】
【０００７】
上記目的を達成するために、本発明の照明装置は、前方側に光を反射させる反射部、前記反射部の後方側に設けられたランプ配置部を含むリフレクタと、回路部、前記回路部の前方側に設けられ、その少なくとも一部に穴部が形成されているフランジ部、前記フランジ部の前方側に設けられたバーナー部を含み、前記バーナー部の少なくとも一部が前記反射部の内部に位置するように、前記リフレクタに配置されたランプ装置と、を備える照明装置であって、前記ランプ配置部の後方側には、接触面と、掛止部と、内部に前記回路部を収容可能な空間を備えるとともに、前記ランプ配置部に対して回動可能な機構を備えた回路保持部と、が設けられており、前記掛止部に前記穴部を合致させて、前記フランジ部の前方側の部分を前記接触面に接触させるとともに、前記回路保持部の前記空間に前記回路部が収容されるように前記ランプ装置を配置させたのち、前記リフレクタにおける光軸を中心とするように前記回路保持部を回動させて、前記フランジ部を前記接触面と前記掛止部とで掛止させ、前記回路部を前記回路保持部で保持させたことを特徴とする。
【発明の効果】
【０００８】
本発明によれば、ランプ装置の着脱が容易で、かつ配光不良を抑制可能なリフレクタおよび照明装置を提供することができる。
【図面の簡単な説明】
【０００９】
【図１】本発明の第１の実施の形態の照明装置ついて説明するための図。
【図２】図１の照明装置を裏側から見た状態について説明するための図。
【図３】リフレクタについて説明するための図。
【図４】リフレクタの断面について説明するための図。
【図５】ランプ装置について説明するための図。
【図６】照明装置の断面について説明するための図。
【図７】リフレクタの回路保持部の回動について説明するための図。
【図８】本発明の第２の実施の形態の照明装置ついて説明するための図。
【図９】掛止部および穴部の変形例について説明するための図。
【図１０】回路保持部の変形例について説明するための図。
【発明を実施するための形態】
【００１０】
（第１の実施の形態）
本発明の実施の形態の放電ランプ装置について図面を参照して説明する。図１は、本発明の第１の実施の形態の照明装置について説明するための図、図２は図１の照明装置を裏側から見た状態について説明するための図である。なお、以下では便宜上、照明装置において光が放射される方向、すなわち図におけるＸの方向を前方、その逆方向を後方と称して説明する。
【００１１】
本実施の形態の照明装置は、自動車前照灯に使用されるものであり、主要部としてリフレクタ１を備えている。リフレクタ１は、図３および図４に示すように、反射部２とランプ配置部３と回路保持部４とで構成されている。
【００１２】
反射部２は、内部に凸状の空間を備える反射鏡であり、広く開口している前方側に光を反射・出光させる構造である。その開口付近には、取り付け部２１が形成されている。
【００１３】
ランプ配置部３は、反射部２の後方側に設けられた筒状の部分であり、本実施の形態では反射部２と一体に構成されている。ランプ配置部３の内部には、部材を貫通するように楕円柱状の穴３１が形成されている。ランプ配置部３の後方には、接触面３２が形成されている。また、ランプ配置部３の後方には、接触面３２を囲うように側壁３３が形成されており、その側壁３３と接触面３２によって、穴３１よりも直径は大きいが、長さは短い円柱状の穴３４が形成されている。さらに側壁３３には、穴３４の中心方向に突出するように、板状の掛止部３５が形成されている。
【００１４】
回路保持部４は、ランプ配置部３の後方側に設けられた箱状の部分である。回路保持部４は壁部４１と蓋部４２を備えており、それらの内部にはそれぞれ直方体状の空間４３と円柱状の空間４４が形成されている。ここで、回路保持部４は、ランプ配置部３に対して回動可能な機構を備えている。具体的には、蓋部４２の内部には弧状の空洞が設けられていて、その空洞にランプ配置部３の側壁３３の後方側に形成されている鉤状部３６を内蔵することで、光軸Ｏ−Ｏ’を中心とするように回路保持部４を回動可能なようにしている。
【００１５】
リフレクタ１の前方側には、出射光を所定の配光にして前方側に照射させるレンズを含むレンズ構成体５が配置され、反射部２の取り付け部２１に固定されている。
【００１６】
リフレクタ１の後方側には、ランプ装置６が配置されている。ランプ装置６は始動器一体型の、いわゆるＤ３タイプ等と呼ばれるランプ装置であり、図５に示すように、回路部６１とフランジ部６２とバーナー部６３を備えている。回路部６１は、イグナイタと呼ばれるランプを始動するための回路装置であり、直方体状の樹脂ケースの内部にトランス、コンデンサなどの回路素子を内蔵し、アルミニウムなどの金属ケースで覆われてなるものである。その一辺には、点灯回路と接続するためのコネクタ６１１が突出形成されている。フランジ部６２は、内部にバーナー部６３を収容するための円柱状の空間を備えた円盤である。その前方側には等間隔で形成された３つのポッチ６２１、端部には切り欠き状の穴部６２２が形成されている。フランジ部６２は、回路部６１の前方側に設けられるが、本実施の形態では、回路部６１と一体、具体的には上記樹脂ケースの一部として突出形成されている。
【００１７】
バーナー部６３は、内管と外管とからなる二重管である。内管の管軸方向の略中央には楕円状の発光部が形成されており、その内部の放電空間には希ガスや金属ハロゲン化物が封入されている。また、発光部の両端には板状の封止部が形成されており、その内部には電極マウントが封着され、電極が放電空間内で対向配置された構造となっている。バーナー部６３は、外管に金属バンドを取り付け、その金属バンドの外周面をフランジ部６２に形成された４つの金属舌片で狭持することにより、フランジ部６２の前方側に設けられる。なお、ランプ装置６のさらに詳細な構造は、特開２０１０−６７４００号公報や国際公開第２００８／７８４２１号パンフレットを参照されたい。
【００１８】
ここで、リフレクタ１にランプ装置６を装着させた状態について、図６を参照して説明する。
【００１９】
図からわかるように、装着状態では、ランプ装置６は、バーナー部６３の少なくとも一部、特に発光部が反射部２の内部に位置するように、リフレクタ１に配置されている。すなわち、ランプ装置６は連通している空間３３、３４、４３、４４に収容され、ランプ配置部３の後方にて保持されてなる。そのリフレクタ１に対するランプ装置６の保持は、フランジ部６２を接触面３２と掛止部３５とで狭持させるとともに、回路部６１の側面を回路保持部４の側部４１の内壁面と接触させることで行われている。このような構造により、回路装置６１の前後方向への動きが掛止されるとともに、ランプ装置６において重量が大きい回路部６１が回路保持部４で保持されるため、自動車の走行により照明装置全体が振動等したとしても、ランプ装置６がリフレクタ２から外れることはなく、また回路部６１の重みによりフランジ部６２を支点にバーナー部６３の位置が大きく変動し、光軸がずれて配光が悪化してしまうこともない。さらに、リフレクタ２とランプ装置６の接続部分であるフランジ部６２に大きな力が加わることによって、フランジ部６２が破壊されるなどの問題も生じない。
【００２０】
リフレクタ１へのランプ装置６の装着について説明すると、ランプ装置６を装着前のリフレクタ１は、図７（ａ）のように、掛止部３５と回路保持部４は水平軸Ｈ−Ｈ’に対して、ともにαだけ傾いた状態である。この掛止部３５にランプ装置６の穴部６２２を合致、すなわち穴部６２２に掛止部３５を挿通させることで、フランジ部６２の前方側の部分、例えば３つのポッチ６２１と接触面３２を接触させるとともに、回路保持部４の空間４３に回路部６１が収容されるように、ランプ装置６を配置する。つぎに、（ｂ）のように、光軸Ｏ−Ｏ’を中心とするように回路保持部４をランプ配置部３に対して時計回りに回動させる。そうすると、掛止部３５は水平軸Ｈ−Ｈ’に対してα（例えば、１１０度）、回路保持部４はβ（例えば、９０度）傾いた状態となり、図６のように、回路部６１を回路保持部４に保持した状態で、接触面３２と掛止部３５の間にフランジ部６２を位置させることが可能となる。
【００２１】
この本実施の形態の照明装置（実施例）と、回路保持部を有さない従来の照明装置に（従来例）ついて、振動を加えながら照射光を観察する試験を行った。その結果、実施例では振動を加えていても照射されている範囲における光の明暗の変化が少なく、配光が良好であることが確認されたが、従来例では振動によるランプ装置の光軸のズレにより、照射されている範囲において光の明るさが目視で確認できるほど変化し、配光が良好でないことが確認された。つまり、本発明によれば、回路部分の重量が重いランプ装置であっても、リフレクタに着脱が容易で、かつ配光不良を抑制可能であることが証明された。
【００２２】
したがって、本実施の形態では、ランプ配置部３の後方側に、接触面３２と、掛止部３５と、内部に回路部６１を収容可能な空間４３を備えるとともに、ランプ配置部３に対して回動可能な機構を備えた回路保持部４と、を設け、掛止部３５に穴部６２１を合致させ、フランジ部６２の前方側の部分としてポッチ６２２を接触面３２に接触させるとともに、回路保持部４の空間４３に回路部６１が収容されるようにランプ装置６を配置したのち、光軸を中心とするように回路保持部４を回動させて、フランジ部６２を接触面３２と掛止部３５とで掛止させ、回路部６１を回路保持部４で保持させたことにより、リフレクタ２に対するランプ装置６の着脱を容易に行うことができるとともに、重量の重い回路部６１によって振動の影響が大になることによる光軸のズレ、さらには配光不良の発生を抑制することができる。
【００２３】
（第２の実施の形態）
図８は、本発明の第２の実施の形態の照明装置について説明するための図である。これ以降の実施の形態の各部については、第１の実施の形態の各部と同一部分は同一符号で示し、その説明を省略する。
【００２４】
第２の実施の形態では、図８（ａ）のように、回路保持部４の壁部４１に空間４３の方向に突出するように、弾性保持部として突片部４５を設け、（ｂ）のように、回路保持部４に回路部６１を挿入した場合に回路部６１の一辺を突片部４５によって接触させるようにしている。その際、突片部４５から対向する壁までの距離をＬ１（ｍｍ）、回路部６１の幅をＬ２（ｍｍ）としたとき、Ｌ１＜Ｌ２としている。したがって、回路保持部４に回路部６１を挿入後は、空間４３の中心方向に作用する突片部４５のバネ弾性によって、回路部６１を回路保持部４内で弾性的に保持することができるようになるため、回路部６１の保持が強固となり、振動によるバーナー部６３の光軸のズレの抑制できるとともに、フランジ部６２にかかる負担を軽減することができる。なお、弾性保持部はこれに限らず、突片部４５の代わりにスプリングを配置したり、回路保持部４全体が弾性変形するような構造であってもよい。
【００２５】
なお、本発明の実施の形態は上記に限られるわけではなく、例えば次のように変更してもよい。
【００２６】
ランプ配置部３は、反射部２と別体であってもいいし、反射部２の一部として構成されているようなものでもよい。
【００２７】
掛止部は、複数設けるのが望ましい。例えば、図９（ａ）のように、掛止部３５の他に、掛止部３７、３８を設け、かつ（ｂ）のように、ランプ装置６のフランジ６２にも、掛止部３７、３８に対応する部分に穴部６２２、６２３を形成することで、ランプ配置部３へのランプ装置６の配置をさらに安定なものとすることができる。また、掛止部や穴部は特許文献２に記載のようなものであってもよい。
【００２８】
回路保持部４は、回路部４１のほぼ全体を覆うような構造に限らず、図１０のように回路部４１の上下を挟むだけの構造などであってもよく、要は、回路部４１の重量を保持できるような構造であればよい。なお、図１０のような場合には、下側のランプ保持部４に切り欠き部４６を形成し、当該部分にコネクタ６１１を嵌め込んでランプ装置４の水平方向の動きを抑制するのが望ましい。
【００２９】
回路部６１は、始動器のみならず、バラストと呼ばれる点灯回路も含んでいるものであってもよく、すなわち、ランプ装置６は始動器と点灯回路とが一体となった、バラスト・イグナイタ一体型のランプ装置などであってもよい。
【００３０】
フランジ部６２は、回路部６１と別体であってもよいし、金属で構成されていてもよい。
【符号の説明】
【００３１】
１  リフレクタ
２  反射部
３  ランプ配置部
３２  接触面
３５  掛止部
４  回路保持部
６  ランプ装置
６１  回路部
６２  フランジ部
６２１  穴部
６３  バーナー部
【図１】
2011238391.tif 000003
【図２】
2011238391.tif 000004
【図３】
2011238391.tif 000005
【図４】
2011238391.tif 000006
【図５】
2011238391.tif 000007
【図６】
2011238391.tif 000008
【図７】
2011238391.tif 000009
【図８】
2011238391.tif 000010
【図９】
2011238391.tif 000011
【図１０】
2011238391.tif 000012